【手続補正書】
【提出日】平成27年7月9日(2015.7.9)
【手続補正１】
【補正対象書類名】明細書
【補正対象項目名】発明の名称
【補正方法】変更
【補正の内容】
【発明の名称】コンピュータの作動方法および画像生成医療技術装置
【手続補正２】
【補正対象書類名】特許請求の範囲
【補正対象項目名】全文
【補正方法】変更
【補正の内容】
【特許請求の範囲】
【請求項１】
コンピュータ（６）のための作動方法において、
前記コンピュータ（６）は、画像生成医療技術装置が実行すべき測定シーケンス（Ｍ）に関する情報を受け取り、
前記測定シーケンス（Ｍ）は、予め定められた個数の相前後するサブシーケンス（Ｓ）から成り、
前記サブシーケンス（Ｓ）の実行により、前記画像生成医療技術装置における少なくとも１つのコンポーネント（１〜４）に負荷が加わり、
前記コンピュータ（６）はさらに、測定周期（Ｐ）に関する情報と、測定インターバル（ＰＭ）および休止インターバル（ＰＰ）への該測定周期（Ｐ）の分割に関する情報とを受け取り、
前記コンピュータ（６）は、前記サブシーケンス（Ｓ）を複数のサブシーケンスグループ（Ｇ）に分割し、該各サブシーケンスグループ（Ｇ）を対応する個数の前記測定インターバル（ＰＭ）に１：１で割り当て、
前記コンピュータ（６）は、前記サブシーケンス（Ｓ）をサブシーケンスグループ（Ｇ）に分割した後で最初に、前記画像生成医療技術装置のモデル（１１）を用いて、前記画像生成医療技術装置の、それぞれ個々のサブシーケンスグループ（Ｇ）のサブシーケンス（Ｓ）を用いた制御中に、該画像生成医療技術装置のコンポーネント（１〜４）に発生する負荷が、負荷限界よりも小さく保持されているか否かをチェックし、チェック結果が肯定であれば、実行された分割を維持し、チェック結果が否定であれば、前記サブシーケンスグループ（Ｇ）内の前記サブシーケンス（Ｓ）への分割を変化させ、および／または前記サブシーケンスグループ（Ｇ）の個数を増加し、
次に前記コンピュータ（６）は、前記画像生成医療技術装置のモデル（１１）を用いて、前記画像生成医療技術装置の、前記サブシーケンス（Ｓ）のサブシーケンスグループ（Ｇ）への分割実行による測定シーケンス（Ｍ）を用いた制御中に、該画像生成医療技術装置のコンポーネント（１〜４）に発生する負荷が、負荷限界よりも小さく保持されているか否かをチェックし、チェック結果が肯定であれば、実行された分割を最終的な分割として受け入れて、少なくとも１つのサブシーケンスグループ（Ｇ）を含む出力グループ（Ｇ′）を送出し、チェック結果が否定であれば、前記サブシーケンスグループ（Ｇ）の個数を増加する、および／または前記サブシーケンスグループ（Ｇ）相互間の時間間隔を拡げる、
ことを特徴とするコンピュータ（６）のための作動方法。
【請求項２】
前記コンピュータ（６）は前記出力グループ（Ｇ′）を順次送出し、
前記コンピュータ（６）は１つの出力グループ（Ｇ′）の送出後、測定周期（Ｐ）に関する情報と、該測定周期（Ｐ）の測定インターバル（ＰＭ）および休止インターバル（ＰＰ）への分割に関する情報とを新たに受け取り、
前記コンピュータ（６）は、まだ送出されていないサブシーケンス（Ｓ）を複数のサブシーケンスグループ（Ｇ）に新たに分割し、該各サブシーケンスグループ（Ｇ）を対応する個数の前記測定インターバル（ＰＭ）に１：１で割り当て、
前記コンピュータ（６）は、前記サブシーケンス（Ｓ）をサブシーケンスグループ（Ｇ）に新たに分割した後で最初に、前記画像生成医療技術装置のモデル（１１）を用いて、前記画像生成医療技術装置の、それぞれ個々のサブシーケンスグループ（Ｇ）のサブシーケンス（Ｓ）を用いた制御中に、該画像生成医療技術装置のコンポーネント（１〜４）に発生する負荷が、負荷限界よりも小さく保持されているか否かをチェックし、チェック結果が肯定であれば、新たに実行された分割を維持し、チェック結果が否定であれば、前記サブシーケンスグループ（Ｇ）内の前記サブシーケンス（Ｓ）への新たな分割を変化させ、および／または前記サブシーケンスグループ（Ｇ）の個数を増加し、
次に前記コンピュータ（６）は、前記画像生成医療技術装置のモデル（１１）を用いて、前記画像生成医療技術装置の、前記サブシーケンス（Ｓ）のサブシーケンスグループ（Ｇ）への新たな分割実行による測定シーケンス（Ｍ）を用いた制御中に、該画像生成医療技術装置のコンポーネント（１〜４）に発生する負荷が、負荷限界よりも小さく保持されているか否かをチェックし、チェック結果が肯定であれば、次の出力グループ（Ｇ′）を送出し、チェック結果が否定であれば、前記サブシーケンスグループ（Ｇ）の個数を増加し、および／または前記サブシーケンスグループ（Ｇ）相互間の時間間隔を拡げる、
請求項１記載の作動方法。
【請求項３】
前記コンピュータ（６）は、測定周期（Ｐ）に関する情報と、測定インターバル（ＰＭ）および休止インターバル（ＰＰ）への該測定周期（Ｐ）の分割に関する情報とを新たに受け取った後、前記測定インターバル（ＰＭ）および／または前記休止インターバル（ＰＰ）が短くなったか否かをチェックし、
前記コンピュータ（６）は、チェック結果が否定であれば請求項２記載の方法を実行せず、
前記コンピュータ（６）は、チェック結果が肯定であれば請求項２記載の方法を実行する、
請求項２記載の作動方法。
【請求項４】
前記測定周期（Ｐ）と、測定インターバル（ＰＭ）および休止インターバル（ＰＰ）への該測定周期（Ｐ）の分割とを、前記測定シーケンス（Ｍ）が加えられることになる被検体（１３）の挙動によって決定する、請求項１から３のいずれか１項記載の作動方法。
【請求項５】
前記測定周期（Ｐ）と、測定インターバル（ＰＭ）および休止インターバル（ＰＰ）への該測定周期（Ｐ）の分割とを、ユーザ（１２）から前記コンピュータ（６）へ予め与える、
請求項１から３のいずれか１項記載の作動方法。
【請求項６】
前記コンピュータ（６）は、前記画像生成医療技術装置のコンポーネント（１〜４）の初期負荷に関する情報を受け取り、前記コンピュータ（６）は、前記発生する負荷を該初期負荷を考慮して求める、
請求項１から５のいずれか１項記載の作動方法。
【請求項７】
前記コンピュータ（６）は、前記サブシーケンス（Ｓ）をサブシーケンスグループ（Ｇ）に分割する前に、前記画像生成医療技術装置のモデル（１１）を用いて、前記画像生成医療技術装置の、個々のサブシーケンス（Ｓ）を用いた制御中に、該画像生成医療技術装置のコンポーネント（１〜４）に発生する負荷が、負荷限界よりも小さく保持されているか否かをチェックし、チェック結果が肯定であれば、前記サブシーケンス（Ｓ）を維持し、チェック結果が否定であれば、前記サブシーケンス（Ｓ）を変化させる、
請求項１から６のいずれか１項記載の作動方法。
【請求項８】
前記コンピュータ（６）は、前記サブシーケンス（Ｓ）を前記サブシーケンスグループ（Ｇ）内で均等に配分する、
請求項１から７のいずれか１項記載の作動方法。
【請求項９】
前記コンピュータ（６）は、前記画像生成医療技術装置のコンポーネント（１〜４）に発生する負荷を、該画像生成医療技術装置のコンポーネント（１〜４）に最も強い負荷を加えるサブシーケンス（Ｓ）に基づき求める、
請求項１から８のいずれか１項記載の作動方法。
【請求項１０】
前記コンピュータ（６）は、前記画像生成医療技術装置のための制御装置（５）として構成されており、該コンピュータ（６）は、最終的な分割に基づく測定シーケンス（Ｍ）によって前記画像生成医療技術装置を制御する、
請求項１から９のいずれか１項記載の作動方法。
【請求項１１】
前記画像生成医療技術装置は磁気共鳴装置として構成されており、該画像生成医療技術装置のコンポーネント（１〜４）は、傾斜磁場出力増幅器（１）または傾斜磁場コイル（２）または高周波出力増幅器（３）または高周波送信アンテナ（４）として構成されている、
請求項１から１０のいずれか１項記載の作動方法。
【請求項１２】
コンピュータプログラムにおいて、
該コンピュータプログラムは、コンピュータ（６）によって直接実行可能なマシンコード（９）を含んでおり、
該マシンコード（９）が前記コンピュータ（６）によって実行されると、該コンピュータ（６）は請求項１から１１のいずれか１項記載の作動方法に従い作動されることを特徴とする、
コンピュータプログラム。
【請求項１３】
コンピュータにおいて、
該コンピュータにより実行可能な請求項１２記載のコンピュータプログラム（７）が格納されていることを特徴とする、
コンピュータ。
【請求項１４】
画像生成医療技術装置のための制御装置（５）として構成されている、
請求項１３記載のコンピュータ。
【請求項１５】
コンピュータを備えた画像生成医療技術装置であって、
前記コンピュータ（６）は、画像生成医療技術装置が実行すべき測定シーケンス（Ｍ）に関する情報を受け取り、
前記測定シーケンス（Ｍ）は、予め定められた個数の相前後するサブシーケンス（Ｓ）から成り、
前記サブシーケンス（Ｓ）の実行により、前記画像生成医療技術装置における少なくとも１つのコンポーネント（１〜４）に負荷が加わり、
前記コンピュータ（６）はさらに、測定周期（Ｐ）に関する情報と、測定インターバル（ＰＭ）および休止インターバル（ＰＰ）への該測定周期（Ｐ）の分割に関する情報とを受け取り、
前記コンピュータ（６）は、前記サブシーケンス（Ｓ）を複数のサブシーケンスグループ（Ｇ）に分割し、該各サブシーケンスグループ（Ｇ）を対応する個数の前記測定インターバル（ＰＭ）に１：１で割り当て、
前記コンピュータ（６）は、前記サブシーケンス（Ｓ）をサブシーケンスグループ（Ｇ）に分割した後で最初に、前記画像生成医療技術装置のモデル（１１）を用いて、前記画像生成医療技術装置の、それぞれ個々のサブシーケンスグループ（Ｇ）のサブシーケンス（Ｓ）を用いた制御中に、該画像生成医療技術装置のコンポーネント（１〜４）に発生する負荷が、負荷限界よりも小さく保持されているか否かをチェックし、チェック結果が肯定であれば、実行された分割を維持し、チェック結果が否定であれば、前記サブシーケンスグループ（Ｇ）内の前記サブシーケンス（Ｓ）への分割を変化させ、および／または前記サブシーケンスグループ（Ｇ）の個数を増加し、
次に前記コンピュータ（６）は、前記画像生成医療技術装置のモデル（１１）を用いて、前記画像生成医療技術装置の、前記サブシーケンス（Ｓ）のサブシーケンスグループ（Ｇ）への分割実行による測定シーケンス（Ｍ）を用いた制御中に、該画像生成医療技術装置のコンポーネント（１〜４）に発生する負荷が、負荷限界よりも小さく保持されているか否かをチェックし、チェック結果が肯定であれば、実行された分割を最終的な分割として受け入れて、少なくとも１つのサブシーケンスグループ（Ｇ）を含む出力グループ（Ｇ′）を送出し、チェック結果が否定であれば、前記サブシーケンスグループ（Ｇ）の個数を増加する、および／または前記サブシーケンスグループ（Ｇ）相互間の時間間隔を拡げる、
ことを特徴とする画像生成医療技術装置。
【請求項１６】
前記コンピュータ（６）は前記出力グループ（Ｇ′）を順次送出し、
前記コンピュータ（６）は１つの出力グループ（Ｇ′）の送出後、測定周期（Ｐ）に関する情報と、該測定周期（Ｐ）の測定インターバル（ＰＭ）および休止インターバル（ＰＰ）への分割に関する情報とを新たに受け取り、
前記コンピュータ（６）は、まだ送出されていないサブシーケンス（Ｓ）を複数のサブシーケンスグループ（Ｇ）に新たに分割し、該各サブシーケンスグループ（Ｇ）を対応する個数の前記測定インターバル（ＰＭ）に１：１で割り当て、
前記コンピュータ（６）は、前記サブシーケンス（Ｓ）をサブシーケンスグループ（Ｇ）に新たに分割した後で最初に、前記画像生成医療技術装置のモデル（１１）を用いて、前記画像生成医療技術装置の、それぞれ個々のサブシーケンスグループ（Ｇ）のサブシーケンス（Ｓ）を用いた制御中に、該画像生成医療技術装置のコンポーネント（１〜４）に発生する負荷が、負荷限界よりも小さく保持されているか否かをチェックし、チェック結果が肯定であれば、新たに実行された分割を維持し、チェック結果が否定であれば、前記サブシーケンスグループ（Ｇ）内の前記サブシーケンス（Ｓ）への新たな分割を変化させ、および／または前記サブシーケンスグループ（Ｇ）の個数を増加し、
次に前記コンピュータ（６）は、前記画像生成医療技術装置のモデル（１１）を用いて、前記画像生成医療技術装置の、前記サブシーケンス（Ｓ）のサブシーケンスグループ（Ｇ）への新たな分割実行による測定シーケンス（Ｍ）を用いた制御中に、該画像生成医療技術装置のコンポーネント（１〜４）に発生する負荷が、負荷限界よりも小さく保持されているか否かをチェックし、チェック結果が肯定であれば、次の出力グループ（Ｇ′）を送出し、チェック結果が否定であれば、前記サブシーケンスグループ（Ｇ）の個数を増加し、および／または前記サブシーケンスグループ（Ｇ）相互間の時間間隔を拡げる、
請求項１５記載の画像生成医療技術装置。
【請求項１７】
前記コンピュータ（６）は、測定周期（Ｐ）に関する情報と、測定インターバル（ＰＭ）および休止インターバル（ＰＰ）への該測定周期（Ｐ）の分割に関する情報とを新たに受け取った後、前記測定インターバル（ＰＭ）および／または前記休止インターバル（ＰＰ）が短くなったか否かをチェックし、
前記コンピュータ（６）は、チェック結果が肯定の場合のみ、請求項１６にしたがって構成される、
請求項１６記載の画像生成医療技術装置。
【請求項１８】
前記測定周期（Ｐ）と、測定インターバル（ＰＭ）および休止インターバル（ＰＰ）への該測定周期（Ｐ）の分割とを、前記測定シーケンス（Ｍ）が加えられることになる被検体（１３）の挙動によって決定する、
請求項１５から１７のいずれか１項記載の画像生成医療技術装置。
【請求項１９】
前記測定周期（Ｐ）と、測定インターバル（ＰＭ）および休止インターバル（ＰＰ）への該測定周期（Ｐ）の分割とを、ユーザ（１２）から前記コンピュータ（６）へ予め与える、
請求項１５から１７のいずれか１項記載の画像生成医療技術装置。
【請求項２０】
前記コンピュータ（６）は、前記画像生成医療技術装置のコンポーネント（１〜４）の初期負荷に関する情報を受け取り、前記コンピュータ（６）は、前記発生する負荷を該初期負荷を考慮して求める、
請求項１５から１９のいずれか１項記載の画像生成医療技術装置。
【請求項２１】
前記コンピュータ（６）は、前記サブシーケンス（Ｓ）をサブシーケンスグループ（Ｇ）に分割する前に、前記画像生成医療技術装置のモデル（１１）を用いて、前記画像生成医療技術装置の、個々のサブシーケンス（Ｓ）を用いた制御中に、該画像生成医療技術装置のコンポーネント（１〜４）に発生する負荷が、負荷限界よりも小さく保持されているか否かをチェックし、チェック結果が肯定であれば、前記サブシーケンス（Ｓ）を維持し、チェック結果が否定であれば、前記サブシーケンス（Ｓ）を変化させる、
請求項１５から２０のいずれか１項記載の画像生成医療技術装置。
【請求項２２】
前記コンピュータ（６）は、前記サブシーケンス（Ｓ）を前記サブシーケンスグループ（Ｇ）内で均等に配分する、
請求項１５から２１のいずれか１項記載の画像生成医療技術装置。
【請求項２３】
前記コンピュータ（６）は、前記画像生成医療技術装置のコンポーネント（１〜４）に発生する負荷を、該画像生成医療技術装置のコンポーネント（１〜４）に最も強い負荷を加えるサブシーケンス（Ｓ）に基づき求める、
請求項１５から２２のいずれか１項記載の画像生成医療技術装置。
【請求項２４】
前記コンピュータ（６）は、前記画像生成医療技術装置のための制御装置（５）として構成されており、該コンピュータ（６）は、最終的な分割に基づく測定シーケンス（Ｍ）によって前記画像生成医療技術装置を制御する、
請求項１５から２３のいずれか１項記載の画像生成医療技術装置。
【請求項２５】
前記画像生成医療技術装置は磁気共鳴装置として構成されており、該画像生成医療技術装置のコンポーネント（１〜４）は、傾斜磁場出力増幅器（１）または傾斜磁場コイル（２）または高周波出力増幅器（３）または高周波送信アンテナ（４）として構成されている、
請求項１５から２４のいずれか１項記載の画像生成医療技術装置。